(57)【特許請求の範囲】
【請求項１】
モータによって常時一定方向に回転され周面に１個のパチンコ球を受け入れる球保持部が設けられた回転体と、前記回転体の周面を囲みかつパチンコ球を該回転体の周面で待機させる待機部が上部に設けられた環状のガイド枠とを有し、前記球保持部が前記待機部と一致したとき、前記待機部に待機しているパチンコ球を前記球保持部に受け入れ、そのパチンコ球を入賞球として処理するようにしたパチンコ機の回転チャッカーにおいて、
前記待機部内であって前記回転体の回転方向と対向する側面に、弾力性を有した薄い帯板からなりパチンコ球の球圧により後退し得る弾性部材を配設して、前記待機部に入ったパチンコ球が該待機部と前記球保持部との間で噛まないようにしたことを特徴とするパチンコ機の回転チャッカー。
【請求項２】
遊技盤面に取り付けられる取付基板と、前記取付基板の前面に装着されると共にモータによって常時一定方向に回転され周面に１個のパチンコ球を受け入れる球保持部が設けられた回転体と、前記取付基板の前面に装着されるカバー部材と、前記カバー部材の内側に形成され前記回転体の周面を囲みかつパチンコ球を該回転体の周面で待機させる待機部が上部に設けられた環状のガイド枠とを有し、前記球保持部が前記待機部と一致したとき、前記待機部に待機しているパチンコ球を前記球保持部に受け入れ、そのパチンコ球を入賞球として処理するようにしたパチンコ機の回転チャッカーにおいて、
前記待機部内であって前記回転体の回転方向と対向する側面に、前記カバー部材又は前記取付基板と一体に形成され前記パチンコ球の球圧により後退し得る弾性部材を配設して、前記待機部に入ったパチンコ球が該待機部と前記球保持部との間で噛まないようにしたことを特徴とするパチンコ機の回転チャッカー。
【請求項３】
モータによって常時一定方向に回転され周面に１個のパチンコ球を受け入れる球保持部が設けられた回転体と、前記回転体の周面を囲みかつパチンコ球を該回転体の周面で待機させる待機部が上部に設けられた環状のガイド枠とを有し、前記球保持部が前記待機部と一致したとき、前記待機部に待機しているパチンコ球を前記球保持部に受け入れ、そのパチンコ球を入賞球として処理するようにしたパチンコ機のランプ飾りにおいて、
前記待機部内であって前記回転体の回転方向と対向する側面に、弾力性を有した薄い帯板からなりパチンコ球の球圧により後退し得る弾性部材を配設して、前記待機部に入ったパチンコ球が該待機部と前記球保持部との間で噛まないようにしたことを特徴とするパチンコ機のランプ飾り。
【請求項４】
遊技盤面に取り付けられる取付基板と、前記取付基板の前面に装着されると共にモータによって常時一定方向に回転され周面に１個のパチンコ球を受け入れる球保持部が設けられた回転体と、前記取付基板の前面に装着されるレンズ部材と、前記レンズ部材の内側に形成され前記回転体の周面を囲みかつパチンコ球を該回転体の周面で待機させる待機部が上部に設けられた環状のガイド枠とを有し、前記球保持部が前記待機部と一致したとき、前記待機部に待機しているパチンコ球を前記球保持部に受け入れ、そのパチンコ球を入賞球として処理するようにしたパチンコ機のランプ飾りにおいて、
前記待機部内であって前記回転体の回転方向と対向する側面に、前記レンズ部材又は前記取付基板に一体に形成され前記パチンコ球の球圧により後退し得る弾性部材を配設して、前記待機部に入ったパチンコ球が該待機部と前記球保持部との間で噛まないようにしたことを特徴とするパチンコ機のランプ飾り。
【発明の詳細な説明】
【０００１】
【産業上の利用分野】
本発明は、権利発生に伴い遊技者に多大な利益を付与する権利物タイプのパチンコ機であって、特にパチンコ球を所定の時間間隔で入賞させるようにした回転チャッカー及び同じ機能を有するランプ飾りに関するものである。
【０００２】
【従来の技術】
従来、この種の権利物タイプのパチンコ機には、遊技盤面に回転チャッカーが配設される。該回転チャッカーは、モータによって常時一定方向に回転し、周面にはパチンコ球１個分の凹部からなる球保持部が設けられた回転体と、該回転体の周面を囲みかつパチンコ球を回転体の周面で待機させる待機部を上部に設けた環状のガイド枠とからなる構成を有している。
そして、このような回転チャッカーは、前記球保持部が待機部と一致したとき、該待機部で待機しているパチンコ球を球保持部に受け入れて下方に運び、そのパチンコ球を入賞球として処理するようにしている。
【０００３】
また、同種のパチンコ機には、前記回転チャッカーの替りに遊技盤面に敷設される内レールの内側に沿って装着されたランプ飾りに前記と同様の回転体及びガイド枠を備えさせて、同じ機能を持たせたものが有る。
【０００４】
【発明が解決しようとする課題】
ところで、前記回転チャッカーでは、遊技盤面に打ち込まれたパチンコ球が待機部に入り、続いて回動する球保持部に受け入れられるときに、該待機部内であって回転体の回転方向と対向する側面とこれと対向する球保持部内の側面との間で前記パチンコ球が偶然に噛むことが有り、これによって回転体が停止するばかりか、そのモータが焼き切れるなどの故障を生ずるといった課題が有った。また、前記ランプ飾りにおいても同様の課題が有った。
そこで、本発明は上記課題を解決すべくなされたもので、待機部に入ったパチンコ球が噛むことなく球保持部に確実に受け入れられるようにしたパチンコ機の回転チャッカーおよびランプ飾りを提供することを目的とするものである。
【０００５】
【課題を解決するための手段】
かかる目的を達成するために、本発明のパチンコ機の回転チャッカーは、モータによって常時一定方向に回転され周面に１個のパチンコ球を受け入れる球保持部が設けられた回転体と、該回転体の周面を囲みかつパチンコ球を回転体の周面で待機させる待機部が上部に設けられた環状のガイド枠とを有し、前記球保持部が待機部と一致したとき、該待機部に待機しているパチンコ球を球保持部に受け入れ、そのパチンコ球を入賞球として処理するようにしたパチンコ機の回転チャッカーにおいて、
前記待機部内であって回転体の回転方向と対向する側面に、弾力性を有した薄い帯板からなりパチンコ球の球圧により後退し得る弾性部材を配設して、待機部に入ったパチンコ球が待機部と球保持部との間で噛まないようにした構成からなる。
【０００６】
また、本発明のパチンコ機のランプ飾りにおいても、モータによって常時一定方向に回転され周面に１個のパチンコ球を受け入れる球保持部が設けられた回転体と、該回転体の周面を囲みかつパチンコ球を回転体の周面で待機させる待機部が上部に設けられた環状のガイド枠とを有し、前記球保持部が待機部と一致したとき、該待機部に待機しているパチンコ球を球保持部に受け入れ、そのパチンコ球を入賞球として処理するようにしたパチンコ機のランプ飾りにおいて、
前記待機部内であって回転体の回転方向と対向する側面に、弾力性を有した薄い帯板からなりパチンコ球の球圧により後退し得る弾性部材を配設して、待機部に入ったパチンコ球が待機部と球保持部との間で噛まないようにした構成からなる。
【０００７】
【作用】
本発明に係るパチンコ機の回転チャッカーでは、待機部に入ったパチンコ球が回転体の球保持部に受け入れられるときに、待機部と球保持部との間で偶然に噛もうとしても、そのパチンコ球は待機部内であって回転体の回転方向と対向する側面に設けた弾性部材に当り、その球圧によって弾性部材が後退する。これによってその力のバランスが崩れ、パチンコ球が球保持部に確実に受け入れられることとなる。また、ランプ飾りにあっても、同様にしてパチンコ球が噛むことがなく球保持部に確実に受け入れられる。
【０００８】
【実施例】
以下、本発明に係るパチンコ機の回転チャッカーの一実施例を図面と共に説明する。図１は本発明が適用されるパチンコ機の正面図を示し、図中１はパチンコ機本体、２は前面枠であり、その裏側に遊技盤３が装着されている。該遊技盤３の表面には外レール４および内レール５が渦巻き状に敷設されており、これら外レール４及び内レール５により囲まれて遊技部６が形成されている。該遊技部６にはほぼ中央に可変表示器７が設けられ、可変表示器７の下方には始動入賞口としての通過チャッカー８とアタッカーと呼ばれる特定入賞口９が設けられる共に、右側方には回転チャッカー１０と権利開始用の始動入賞口１１と大入賞口１２とが設けられる。なお、１３は一般入賞口、１４は風車である。
【０００９】
前記可変表示器７は、液晶表示パネル１５を有し、該表示パネル１５に例えば「０〜９」までの３桁の数字が表示可能に構成された周知のものである。また、前記通過チャッカー８には通過したパチンコ球を検出する打球検出器１６が設けられている。また、前記特定入賞口９は、取付板１７に形成した球入口１８の前面に前後方向へ開閉自在な開閉扉１９が設けられると共に、その内側にＶ入賞口と一般入賞口（共に図示せず。）が設けられている。また、Ｖ入賞口の上部には開閉扉１９が開いているとき、入賞球をＶ入賞口に入賞させることなく保留する球受板（図示せず。）が設けられており、開閉扉１９が閉じたとき保留される入賞球をＶ入賞口に入賞させるようにしている。
【００１０】
前記回転チャッカー１０は、図２，図３に示すよう遊技盤３面に取り付けられる取付基板２０の前面にモータ２１によって常時一定方向（図３の矢視方向）に回転される回転体２２が装着される。また取付基板２０の前面に回転体２２を覆い、かつ内側に前記回転体２２の周面を囲む環状のガイド枠２３を形成した合成樹脂製のカバー部材２４が装着されている。前記回転体２２の周面にはほぼパチンコ球１個分の凹部からなる球保持部２５が設けられる。回転体２２は例えば通常の遊技状態のときには１０秒で１回転するようにその回転速度が設定されている。また、前記ガイド枠２３の上部には上面が開口し、パチンコ球を回転体２２の周面で待機させる待機部２６が設けられている。そして、球保持部２５がガイド枠２３の上部に設けた待機部２６と一致したとき、その待機部２６に待機しているパチンコ球を球保持部２５に受け入れて下方まで運び、ガイド枠２３の下部に開設した落下口２７から権利開始用の始動入賞口１１に入賞させるようになっている。
【００１１】
しかして、本発明では図３に示すように前記待機部２６内であって回転体２２の回転方向と対向する側面に、球圧によって後退し得る弾性部材２８が配設されている。該弾性部材２８は帯板状の薄い弾力性を有する金属板からなり、その基端部２８ａがカバー部材２４の裏面に突設されるネジ止め用の突起２９に嵌着されると共に、ガイド枠２３の一側上端から待機部２６内に臨む先端部２８ｂは下方に垂設されている。弾性部材２８は金属製以外に合成樹脂製など弾力性を有するものであれば材質を限定されない。
なお、前記始動入賞口１１には入賞球検出器３０が設けられている。また、前記大入賞口１２は取付板３１前面のチャッカー３２内の一対の可動翼片３３，３３を開閉自在に設けた周知構造のものである。
【００１２】
そこで、上記のような構成からなるパチンコ機では、遊技盤３の遊技部６に打ち込まれたパチンコ球が通過チャッカー８を通過して打球検出器１６で検出されると、その検出信号によって可変表示器７の液晶表示パネル１５に表示される数字が上から下へ流れて表示される、数字変動を所定時間行い、所定時間終了ののちその変動を停止する。そして、その停止時の表示があらかじめ設定された表示（例えば「５，５，５」，「７，７，７」等のぞろ目）に揃うと開閉扉１９を一定時間（例えば約６秒）又は一定個数（例えば６個）のパチンコ球が入賞するまで開成する。
【００１３】
一方、開閉扉１９が開成されているとき、Ｖ入賞口は球受板によって閉じられている。このため、球入口１８内に入ったパチンコ球はＶ入賞口に入賞することなく一般入賞口に入賞するか或いは運よく球受板上に保留されることになる。そして、一定時間経過後又は一定個数のパチンコ球が入賞すると開閉扉１９を閉成する。また開閉扉１９が閉成すると、球受板がＶ入賞口を開け、球受板上にパチンコ球が保留されていると該球はＶ入賞口に入賞し、これによって「大当り」としての権利発生となる。
【００１４】
また、この権利発生の状態において、回転チャッカー１０の回転体２２の球保持部２５にパチンコ球が受け入れられて下方に運ばれ、該パチンコ球が落下口２７から始動入賞口１１に入賞して入賞球検出器３０で検出されると「大当り」の権利が確定となり、同時に大入賞口１２の可動翼片３３，３３が一定時間（例えば約１０秒）経過する迄の間、または所定個数（例えば１０個）のパチンコ球が入賞する迄開かれる。このように権利発生状態になるとパチンコ球が回転チャッカー１０の回転体２２の球保持部２５に受け入れられて下方に運ばれ始動入賞口１１に入賞し入賞球検出器３０で検出されることを条件に大入賞口１２の可動翼片３３，３３の開成動作が所定サイクル（例えば１６回）約束される。これによって、遊技者は多くの景品球を得ることが可能となる。
【００１５】
そこで、回転チャッカー１０の待機部２６に入ったパチンコ球が、続き回転体２２の球保持部２５に受け入れられるとき、図３実線に示すように待機部２６内であって回転体２２の回転方向と対向する側面の弾性部材２８の先端部２８ｂとこれと対向する球保持部２５内の側面２５ａとの間で偶然にパチンコ球が噛もうとしても、同図鎖線に示すように、弾性部材２８の先端部２８ｂが球圧に押されて後退するので、パチンコ球の力のバランスが崩れ球保持部２５内に確実に受け入れられることとなる。また、先端部２８ｂはその後元の位置に弾性復帰する。
【００１６】
図４は他の実施例に係る回転チャッカー１０１の斜視図、図５は同正面断面図である。該回転チャッカー１０１では、弾性部材２８１がカバー部材２４と一体に形成されている。すなわち、該弾性部材２８１はガイド枠２３を兼ねて回転体２２の一側を囲うよう弧状に形成され、基端部２８１ａがカバー部材２４に一体に設けられ、上方に起立した先端部２８１ｂは待機部２６内であって回転体２２の回転方向と対向する側面に位置している。この構成であっても前記と同様にパチンコ球が噛むといった事態はなくなる。このように、弾性部材２８１をカバー部材２４と一体に形成するようにすれば、弾性部材２８を別部材として造る必要もなく、しかも組み立て作業上余分な手間が不要となる。なお、弾性部材２８１はカバー部材２４側に一体に設けたが、取付基板２０側に設けても良い。
【００１７】
次に、同じ権利物タイプのパチンコ機であって、装飾効果を高めるために、遊技盤３面に敷設された内レール５の内側に沿って装着され、しかも入賞口としての機能をも有するランプ飾り３４について説明する。但し、このランプ飾り３４が使用される場合は、図１の遊技盤３面の構成のうち、前記回転チャッカー１０及び始動入賞口１１は不要となる。
【００１８】
図６はランプ飾り３４の斜視図、図７は同分解斜視図を示す。図中、３５は遊技盤３面に取り付けられる取付基板であり、その前面にモータ２１によって常時一定方向に回転される回転体２２が装着される。また、取付基板３５の前面に回転体２２を覆い、かつ内側に前記回転体２２の周面を囲む略環状のガイド枠２３を形成した透光性合成樹脂製のレンズ部材３６が装着されている。前記回転体２２の周面には球保持部２５が設けられ、ガイド枠２３の上部には上面が開口する待機部２６が設けられる。そして、前記待機部２６内であって回転体２２の回転方向と対向する側面に弾性部材３７が配置される。該弾性部材３７も帯板状の薄い弾力性を有する金属板からなり、その基端部３７ａはレンズ部材３６の裏面に突設されるネジ止め用の突起３８に嵌着されると共に、ガイド枠２３の一側上端から待機部２６内に臨む先端部３７ｂは下方に垂設されている。
【００１９】
そして、球保持部２５がガイド枠２３の上部に設けた待機部２６と一致したとき、その待機部２６に位置するパチンコ球を球保持部２５に受け入れて下方迄運ぶ。３９は前記回転体２２の下方に位置して設けられ、回転体２２の球保持部２５から排出されるパチンコ球を通過させて、検出するための入賞球検出器であり、４０はそのパチンコ球を受けて排出口４１に送り出すための球通路である。取付基板３５の下方にはレンズ部材３６の内部に臨ませるランプ４２が装着されている。
【００２０】
図８は他の実施例に係るランプ飾り３４１の斜視図，図９は同レンズ部材３６の裏面斜視図を示す。この場合は弾性部材３７１がレンズ部材３６と一体に形成されている。即ち、該弾性部材３７１はガイド枠２３をかねて回転体２２の一側を囲うよう弧状に形成され、基端部３７１ａはレンズ部材３６に一体に設けられ、また上方に起立した先端部３７１ｂは待機部２６の一側面、回転体２２の回転方向と対向する側面、に位置している。なお、この場合も弾性部材３７１はその基端部３７１ａを取付基板３５側に一体に設けるようにしても良い。
【００２１】
上記両ランプ飾り３４，３４１についてもパチンコ球が噛んでしまうといった事態が生ずることはなく、待機部２６に入ったパチンコ球は確実に球保持部２５に受け入れられる。また、これにより遊技者は安心して遊技が楽しめ、偶発的に生ずる事故によりゲームが途中で中断して損失を受けるといったことも無くなる。
【００２２】
【発明の効果】
以上説明したように、本発明に係るパチンコ機の回転チャッカーおよびランプ飾りは、ガイド枠上部の待機部内であって回転体の回転方向と対向する側面に、球圧によって後退し得る弾性部材を配設したので、待機部に入ったパチンコ球が回転体の待機部とガイド枠の球保持部との間で噛むようなことがなくなり、常に球保持部へ確実に受け入れられる。これにより、モータが焼き切れるなどの故障をなくすことができ、引いてはゲームが途中で中断され遊技客に損失を与えるといった事態の発生も防止されるという利点を有する。
【図面の簡単な説明】
【図１】  本発明に係るパチンコ機の回転チャッカーが適用されるパチンコ機の正面図。
【図２】  回転チャッカーの斜視図。
【図３】  同作用を示す正面断面図。
【図４】  他の実施例に係る回転チャッカーの斜視図。
【図５】  同正面断面図。
【図６】  本発明に係るパチンコ機のランプ飾りの斜視図。
【図７】  同分解斜視図。
【図８】  他の実施例に係るランプ飾りの斜視図。
【図９】  同レンズ部材の裏面斜視図。
【符号の説明】
１０，１０１            回転チャッカー
２０                    取付基板
２１                    モータ
２２                    回転体
２３                    ガイド枠
２４                    カバー部材
２５                    球保持部
２６                    待機部
２８，２８１            弾性部材
３４，３４１            ランプ飾り
３５                    取付基板
３６                    レンズ部材
３７，３７１            弾性部材
【図１】
0003773559.tif 000002
【図２】
0003773559.tif 000003
【図３】
0003773559.tif 000004
【図４】
0003773559.tif 000005
【図５】
0003773559.tif 000006
【図６】
0003773559.tif 000007
【図７】
0003773559.tif 000008
【図８】
0003773559.tif 000009
【図９】
0003773559.tif 000010